(57)【要約】  【課題】間仕切りパネルの取り付け及び取り外しが簡単で、かつ容易に再利用またはリサイクルできる。  【解決手段】上ランナー１１と下ランナー１２とを、天井Ａと床面Ｂとにビス止めし、これらの間にスタッド１３を装着する。上ランナー１１と下ランナー１２とに、それぞれブラケット３、４を取付ける。ブラケット３、４の両側面には、ケンドン式の差込溝３ｂ、４ｂが形成してある。石膏ボード２を、上下の差込溝３ｂ、４ｂに吊り込み、両面接着テープ５で、スタッド１３に着脱自在に接着する。【選択図】  図１
2007262823.tif 000002
【特許請求の範囲】
【請求項１】
天井と床面との間に、取り付け部材を介して間仕切りパネルを固定する間仕切り壁構造であって、
上記取り付け部材は、上ランナーと下ランナーと、これらの間に装着するスタッドとを備え、
上記上ランナーと下ランナーとの側面には、それぞれ互いに対向して開口するコの字断面形状のケンドン式の差込溝が設けてあり、
上記間仕切りパネルの上下端部を、それぞれ上記上ランナーと下ランナーとの差込溝に差込み、この間仕切りパネルの裏面と上記スタッドとを着脱自在の接着材によって接合して構成してある
ことを特徴とする間仕切り壁構造。
【請求項２】
請求項１において、上記ケンドン式の差込溝は、上記上ランナー及び下ランナーとに着脱自在な別部材で構成してあることを特徴とする間仕切り壁構造。
【請求項３】
請求項１〜２において、上記間仕切りパネルは、石膏ボードであることを特徴とする間仕切り壁構造。
【発明の詳細な説明】
【技術分野】
【０００１】
本発明は、例えば石膏ボードの間仕切りパネルからなる住居内の間仕切り壁構造に関し、特に間仕切りパネルの取り付け及び取り外しが簡単で、かつ容易に再利用またはリサイクルできる間仕切り壁構造に関する。
【背景技術】
【０００２】
従来、例えば石膏ボードの間仕切りパネルからなる住居内の間仕切り壁は、天井と床面とに固定した横部材である上下ランナーと、これらの間に設けた縦部材であるスタッドとからなる取付け部材の側面に、間仕切りパネルをビス止めして構成していた。そしてビス止め部分の凹みをパテ等で平坦に仕上げた後に、壁紙等を貼着していた。
【０００３】
しかるに間取りの変更や住居の改築等において、間仕切り壁を取り外す場合には、パテ等で覆われたビスを取り外すことには手間が掛かるため、いきおい取付け部材と一緒に間仕切りパネルを破壊して取り外していた。このため間仕切り壁の取り外しには騒音と埃が生じ、間仕切りパネルは再利用できなかった。また間仕切り壁の解体後も、間仕切りパネルと壁紙等とを分別することに手間が掛かるため、鉄材を除いて、石膏ボートと壁紙とからなる廃棄物は、リサイクルが困難であった。
【０００４】
このため間仕切りパネルの取り付けや取り外しが容易な、間仕切り壁構造が提案されている。その１つは、コの字状の断面形状を有する天井ランナーと床ランナーとに、間仕切りパネルを差込んで構成するものがある（例えば特許文献１参照。）。また２枚の石膏ボードの間に、上端部をやや低くして凹溝ができるように補強材等を挟んで貼り合せた３枚重ねのパネルを使用し、この凹溝を天井ランナーの突出する取付片に嵌挿し、下端部を、床ランナーの側面にビス止めするものがある（例えば特許文献２参照。）。
【特許文献１】特開２０００−９２６８号公報（１〜４頁、図４）
【特許文献２】特開２００５−２３６７９公報（１〜４頁、図６）
【発明の開示】
【発明が解決しようとする課題】
【０００５】
しかし上述した間仕切り壁構造には、いずれも改良すべき次の問題があった。特許文献１に記載の間仕切り壁構造は、間仕切りパネルを天井ランナーと床ランナーとに差し込むだけであるため、取り付け、及び取り外しが容易で、再利用またはリサイクルが可能である。しかし間仕切りパネルは一枚であるため、防音性や断熱性に欠け、さらに天井ランナーと床ランナーとの間に、縦部材であるスタッドを装着することが困難な構成であるため、間仕切りパネルの強度や剛性に欠けるという問題がある。
【０００６】
また特許文献２に記載の間仕切り壁構造は、中間に補強部材を挟む多重構造の間仕切りパネルを使用しているため、防音性や断熱性に優れ、さらに強度や剛性にも優れるが、間仕切りパネルの製造コストが増加し、また補強部材との分別に手間が掛かるという問題がある。さらに間仕切りパネルの下端部は、床ランナーの側面にビス止めしているため、上述したように、間仕切りパネルの取り外し、及び再利用が困難である。
【０００７】
そこで本発明の目的は、間仕切りパネルの取り付け及び取り外しが簡単で、かつ容易に再利用またはリサイクルできる間仕切り壁構造を提供することにある。
【課題を解決するための手段】
【０００８】
上記課題を解決すべく本発明による間仕切り壁構造の特徴は、天井に固定した上ランナーと床面に固定した下ランナーとの側面に、それぞれケンドン式の差込溝を設け、間仕切りパネルをこれらの差込溝に差込み、さらにこの上ランナーと下ランナーとの間に装着したスタッドと間仕切りパネルの裏面とを、着脱自在の接着材によって接合して構成したことにある。
【０００９】
すなわち本発明による間仕切り壁構造は、天井と床面との間に取り付け部材を介して間仕切りパネルを固定する間仕切り壁構造であって、この取り付け部材は、上ランナーと下ランナーと、これらの間に装着するスタッドとを備えている。上記上ランナーと下ランナーとの側面には、それぞれ互いに対向して開口するコの字断面形状のケンドン式の差込溝が設けてある。そして上記間仕切りパネルの上下端部を、それぞれ上記上ランナーと下ランナーとの差込溝に差込み、この間仕切りパネルの裏面と上記スタッドとを着脱自在の接着材によって接合して構成してある。
【００１０】
上記ケンドン式の差込溝は、上記上ランナー及び下ランナーとに着脱自在な別部材で構成してあることが望ましい。また上記間仕切りパネルは、石膏ボードであることがより望ましい。
【００１１】
ここで「上ランナー」とは、住居内の天井等にビス等で固定され、間仕切りパネルの上端部を取り付ける部材を意味する。下方向に開口するコの字状断面形状を有するものが望ましいが、下面に略同一幅のスタッド（縦部材）を取り付けことができれば、この形状に限らず、例えば中空の矩形断面形状を有するものも該当する。また材質は軽量鉄材が望ましいが、アルミあるいは合成樹脂等の他の材質を使用することもできる。「下ランナー」とは、住居内の床面等にビス等で固定され、間仕切りパネルの下端部を取り付ける部材を意味する。形状及び材質は、上記上ランナーと同等のものが該当する。
【００１２】
「スタッド」とは、上述した上ランナーと下ランナーとの間に取り付ける縦部材であって、その形状と材質とは、この上ランナー等と同等のものを意味する。「上ランナーと下ランナーとの側面」とは、これらの上ランナーと下ランナーとを断面方向から見たときの
サイド面を意味し、両面に限らず一方の面の場合も含む。「ケンドン式の差込溝」とは、日本古来からあるふすま、障子、あるいは引き戸等の取り付け溝であって、一旦建具の上端を差込む上部の切り込み溝、及び次に建具の下端を落とし込む下部の切り込み溝を意味する。なお材質は、軽量鉄材が望ましいが、アルミあるいは合成樹脂等の他の材質を使用することもできる。またこのケンドン式の差込溝は、上ランナー等と一体的に形成したものに限らず、別部材で製作して、上ランナー等の側面等に取り付けたものも含む。「着脱自在の接着材」とは、被接着面に容易に接着し、かつ容易に引き剥がすことができる接着材を意味し、例えば両面接着テープ、あるいは接着性のパテが該当する。
【発明の効果】
【００１３】
本発明による間仕切り壁構造は、間仕切りパネルを、上ランナーと下ランナーとの側面に設けたケンドン式の差込溝に差込み、この上ランナーと下ランナーとの間に装着したスタッドに着脱自在に接着して構成する。したがって第１に、上ランナーと下ランナーとの両側面に間仕切りパネルを取り付けると、両者の間に空間が形成され、防音性及び断熱性を向上させることができる。また間仕切りパネルの裏面をスタッドに接着するため、間仕切り壁構造の強度と剛性とを向上させることができる。
【００１４】
第２に、間仕切りパネルをビス等で取り付ける必要がないため、特別な技能がなくても、容易かつ迅速に間仕切り壁構造の組み付けを行なうことができる。したがって組み付け作業の大幅なコストダウンが可能になる。第３に、間仕切り壁構造の取り外しは、間仕切りパネルをスタッドから引き剥がして、上下ランナーから引き抜くだけであるため、容易かつ迅速に行なうことができる。また分解時に騒音や埃が生じない。
【００１５】
そして第４に、間仕切りパネルは傷つけることなく取り外しができるので、再度壁紙を貼り付けることによって再利用が可能になる。また石膏ボードの破壊片等が生じないため、廃棄物量の大幅な削減が可能になる。さらに下ランナーをそのまま幅木として使用することもできるため、この幅木の製造と組み付けコストとの大幅な削減が可能になる。第５に、ケンドン式の差込溝を、上ランナー及び下ランナーに着脱自在な別部材で構成することによって、ケンドン式の差込溝を備えていない、従来の上ランナー等が利用可能になる。
【発明を実施するための最良の形態】
【００１６】
図１及び図３を参照しつつ、本発明による間仕切り壁構造の具体例を説明する。なおこの間仕切り壁構造は、例えば両側に部屋を設けるために住居空間を２分するもので、中間に空間を有する二重パネル構造である。さて図１に示すように、本発明による間仕切り壁構造は、天井Ａと床面Ｂとの間に、取り付け部材１を介して、間仕切りパネルである石膏ボード２を固定する構造である。取り付け部材１は、それぞれコの字断面形状の軽量鉄材からなる上ランナー１１と、下ランナー１２と、これらの間に装着する縦部材であるスタッド１３とを備えている。なお上ランナー１１と下ランナー１２とは、それぞれビスによって、天井Ａと床面Ｂとに固定する。またスタッド１３は、互いに所定の間隔を隔てて、上ランナー１１と下ランナー１２とのコの字断面に挿入し、ビス止めする。
【００１７】
上ランナー１１と下ランナー１２とには、軽量鉄材からなるブラケット３、４が着脱自在に取り付けてある。ブラケット３、４は、それぞれ略Ω（オメガ）の字断面形状を有しており、コの字断面形状の中央部分３ａ、４ａが、それぞれ上ランナー１１と下ランナー１２との両外側面に嵌合している。またブラケット３、４は両側部に、それぞれ互いに対向して開口するコの字断面形状のケンドン式の差込溝３ｂ、４ｂが形成してある。なお図３に、ブラケット３の拡大図を示す。
【００１８】
次に図１を参照しつつ、本発明による間仕切り壁構造の取り付け手順を説明する。まず住居内の間仕切りする位置において、上ランナー１１と下ランナー１２とを、それぞれ天井Ａと床面Ｂとにビス止めする。次いで上ランナー１１と下ランナー１２との間に、相互に所定の間隔をおいて、スタッド１３を挿入してビス止めする。次に上ランナー１１と下ランナー１２とに、ブラケット３、４とを装着する。なおスタッド１３と重なる部分は、相互が干渉しないように、ブラケット３、４の一部が切り欠いてある。
【００１９】
次にスタッド１３に、両面接着テープ５を複数個所貼りつけておき、石膏ボード２の上端部を、上ランナー１１に装着したブラケット３の差込溝３ｂに挿入する。次いで石膏ボード２を吊り上げて、この石膏ボードの下端部を、下ランナー１２に装着したブラケット４の差込溝４ｂに挿入して落とし込む。そして両面接着テープ５を貼着した部分を押圧し、石膏ボード２をスタッド１３に接着する。最後に石膏ボード２の表面に壁紙を貼って仕上げる。
【００２０】
本発明による間仕切り壁構造の取り外しは、上述した取り付けと逆の手順で行なう。すなわちまず、石膏ボード２の合わせ面において、カッター等で壁紙を切断する。次いで石膏ボード２を少し手前に引いて、両面接着テープ５をスタッド１３から剥し、その状態で吊り上げる。そして石膏ボード２の下端部を、下ランナー１２に装着したブラケット４の差込溝４ｂから取り出し、少し手前に引いて、この石膏ボードの上端部を、上ランナー１１に装着したブラケット３の差込溝３ｂから取り外す。最後にブラケット３、４、スタッド１３、及び上ランナー１１と下ランナー１２とを、順次取り外す。
【００２１】
図２及び図４を参照しつつ、本発明による間仕切り壁構造の他の具体例を説明する。なおこの間仕切り壁構造は、例えば住居の側壁Ｃに接して設ける一重パネル構造である。また上述したものと同等の部材や部位については、参照を容易にするため、一律１００を加えた記号にしてある。さて図２に示すように、本発明による間仕切り壁構造は、天井Ａと床面Ｂとの間に、取り付け部材１０１を介して、間仕切りパネルである石膏ボード１０２を固定する構造である。取り付け部材１０１は、それぞれコの字断面形状の軽量鉄材からなる上ランナー１１１と、下ランナー１１２と、これらの間に装着する縦部材であるスタッド１１３とを備えている。なお上ランナー１１１と下ランナー１１２とは、それぞれビスによって、天井Ａと床面Ｂとに固定する。またスタッド１１３は、互いに所定の間隔を隔てて、上ランナー１１１と下ランナー１１２とのコの字断面に挿入し、ビス止めする。
【００２２】
上ランナー１１１と下ランナー１１２とには、軽量鉄材からなるブラケット１０３、１０４が着脱自在に取り付けてある。ブラケット１０３、１０４は、それぞれ略横Ｓの字断面形状を有しており、コの字断面形状の中央部分１０３ａ、１０４ａが、それぞれ上ランナー１１１と下ランナー１１２との一方の外側部材に嵌合している。またブラケット1０３、１０４は一方の外側部に、それぞれ互いに対向して開口するコの字断面形状のケンドン式の差込溝１０３ｂ、１０４ｂが形成してある。なお図４に、ブラケット１０３の拡大図を示す。
【００２３】
なおこの間仕切り壁構造の取り付け、及び取り外しは、上述したものと同等の手順で行なうことができる。
【００２４】
なおブラケット３、４等は、上ランナー１１等と下ランナー１２等と一体的に形成することも容易にできる。またブラケット３、４等の差込溝３ｂ、４ｂ等と、石膏ボード２等との隙間にシール部材を挿入して、密閉性を向上させることも有効である。
【産業上の利用可能性】
【００２５】
本発明による間仕切り壁構造は、間仕切りパネルの取り付け及び取り外しが簡単で、かつ容易に再利用またはリサイクルできるため、建築に関する産業に広く利用可能である。
【図面の簡単な説明】
【００２６】
【図１】間仕切り壁構造の横断面図である。
【図２】他の間仕切り壁構造の横断面図である。
【図３】ブラケットの断面図である。
【図４】他のブラケットの断面図である。
【符号の説明】
【００２７】
１、１０１              取り付け部材
１１、１１１            上ランナー
１２、１１２            下ランナー
１３、１１３            スタッド
２、１０２              石膏ボード（仕切りパネル）
３、１０３              ブラケット
３ｂ、１０３ｂ          差込溝
４、１０４              ブラケット
４ｂ、１０４ｂ          差込溝
５、１０５              両面接着テープ（接着材）
Ａ                      天井
Ｂ                      床面
Ｃ                      側壁
【図１】
2007262823.tif 000003
【図２】
2007262823.tif 000004
【図３】
2007262823.tif 000005
【図４】
2007262823.tif 000006